(57)【要約】【課題】水を貯留でき且つ植物に与える影響を低減できる雨水貯留施設を提供すること。【解決手段】雨水貯留施設は、既存の土の上側に配置される植栽土壌と、植栽土壌を囲む側壁と、を備える。側壁の少なくとも一部は、植栽土壌と囲む空間に水を貯留できるように植栽土壌の表面よりも上側に配置される。植栽土壌の保水性は、既存の土の保水性よりも高くい。植栽土壌の透水性は、既存の土の透水性よりも高い。【選択図】図４
2020020213.tif 000002
【特許請求の範囲】
【請求項１】
既存の土の上側に配置される植栽土壌と、
前記植栽土壌を囲む側壁と、
を備え、
前記側壁の少なくとも一部は、前記植栽土壌と囲む空間に水を貯留できるように前記植栽土壌の表面よりも上側に配置され、
前記植栽土壌の保水性は、前記既存の土の保水性よりも高く、
前記植栽土壌の透水性は、前記既存の土の透水性よりも高い
雨水貯留施設。
【請求項２】
前記植栽土壌において、ｐＦが１．５以上３．８以下の範囲における有効水分量は、１００Ｌ／ｍ３以上であり、
前記植栽土壌の飽和透水係数は、１０−３ｃｍ／ｓ以上である
請求項１に記載の雨水貯留施設。
【請求項３】
前記植栽土壌の下側に配置され且つ前記植栽土壌の飽和透水係数よりも大きい飽和透水係数を有する排水層を備える
請求項１又は２に記載の雨水貯留施設。
【請求項４】
前記植栽土壌に配置され且つ水を排水路に導く側溝を備える
請求項１から３のいずれか１項に記載の雨水貯留施設。
【請求項５】
前記側溝は、前記植栽土壌に水を通過させる貫通孔を備える
請求項４に記載の雨水貯留施設。
【請求項６】
前記貫通孔は、前記側溝の側面部に設けられる
請求項５に記載の雨水貯留施設。
【請求項７】
前記植栽土壌の下側に配置され且つ前記植栽土壌の飽和透水係数よりも大きい飽和透水係数を有する排水層と、
前記植栽土壌に配置され且つ水を排水路に導く側溝と、
前記側溝を支持し且つ前記植栽土壌の飽和透水係数よりも大きい飽和透水係数を有する支持層と、
を備え、
前記側溝は、水を通過させる貫通孔を備え、
前記支持層は、前記貫通孔から前記排水層にわたって配置される
請求項１又は２に記載の雨水貯留施設。
【発明の詳細な説明】
【技術分野】
【０００１】
本発明は、雨水貯留施設に関する。
【背景技術】
【０００２】
降雨時において下水道又は河川等の排水路へ雨水が急激に流入しないようにするための施設として、雨水貯留施設が知られている。特許文献１には、雨水貯留施設の一例が記載されている。
【先行技術文献】
【特許文献】
【０００３】
【特許文献１】特開２００２−７０１２６号公報
【発明の概要】
【発明が解決しようとする課題】
【０００４】
ところで、雨水を植栽土壌に溜める雨水貯留施設が知られている。しかし、土壌に植物が設けられる場合、貯留された水によって植栽が困難になることがある。
【０００５】
本開示は、上記の課題に鑑みてなされたものであって、水を貯留でき且つ植物に与える影響を低減できる雨水貯留施設を提供することを目的とする。
【課題を解決するための手段】
【０００６】
上記の目的を達成するため、本開示の一態様の雨水貯留施設は、既存の土の上側に配置される植栽土壌と、前記植栽土壌を囲む側壁と、を備え、前記側壁の少なくとも一部は、前記植栽土壌と囲む空間に水を貯留できるように前記植栽土壌の表面よりも上側に配置され、前記植栽土壌の保水性は、前記既存の土の保水性よりも高く、前記植栽土壌の透水性は、前記既存の土の透水性よりも高い。
【０００７】
なお、上記の雨水貯留施設の望ましい態様として、前記植栽土壌において、ｐＦが１．５以上３．８以下の範囲における有効水分量は、１００Ｌ／ｍ３以上であり、前記植栽土壌の飽和透水係数は、１０−３ｃｍ／ｓ以上である。
【０００８】
なお、上記の雨水貯留施設の望ましい態様として、前記植栽土壌の下側に配置され且つ前記植栽土壌の飽和透水係数よりも大きい飽和透水係数を有する排水層を備える。
【０００９】
なお、上記の雨水貯留施設の望ましい態様として、前記植栽土壌に配置され且つ水を排水路に導く側溝を備える。
【００１０】
なお、上記の雨水貯留施設の望ましい態様として、前記側溝は、前記植栽土壌に水を通過させる貫通孔を備える。
【００１１】
なお、上記の雨水貯留施設の望ましい態様として、前記貫通孔は、前記側溝の側面部に設けられる。
【００１２】
なお、上記の雨水貯留施設の望ましい態様として、前記植栽土壌の下側に配置され且つ前記植栽土壌の飽和透水係数よりも大きい飽和透水係数を有する排水層と、前記植栽土壌に配置され且つ水を排水路に導く側溝と、前記側溝を支持し且つ前記植栽土壌の飽和透水係数よりも大きい飽和透水係数を有する支持層と、を備え、前記側溝は、水を通過させる貫通孔を備え、前記支持層は、前記貫通孔から前記排水層にわたって配置される。
【発明の効果】
【００１３】
本開示の雨水貯留施設によれば、水を貯留でき且つ植物に与える影響を低減できる。
【図面の簡単な説明】
【００１４】
【図１】図１は、実施形態の雨水貯留施設の平面図である。
【図２】図２は、雨が降っていない時における図１のＡ−Ａ断面図である。
【図３】図３は、通常の降雨時における図１のＡ−Ａ断面図である。
【図４】図４は、豪雨時における図１のＡ−Ａ断面図である。
【図５】図５は、豪雨時における図１のＢ−Ｂ断面図である。
【図６】図６は、豪雨時における第１変形例の雨水貯留施設の断面図である。
【図７】図７は、豪雨時における第２変形例の雨水貯留施設の断面図である。
【図８】図８は、豪雨時における第３変形例の雨水貯留施設の断面図である。
【発明を実施するための形態】
【００１５】
以下、本発明につき図面を参照しつつ詳細に説明する。なお、本発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１６】
（実施形態）
図１は、実施形態の雨水貯留施設の平面図である。図２は、雨が降っていない時における図１のＡ−Ａ断面図である。図３は、通常の降雨時における図１のＡ−Ａ断面図である。図４は、豪雨時における図１のＡ−Ａ断面図である。図５は、豪雨時における図１のＢ−Ｂ断面図である。本実施形態の雨水貯留施設１００は、降雨時に水を貯留するための施設である。市町村によって敷地外へ排出できる水の流量には制限がある。このため、排水しきれない水は、雨水貯留施設１００に一旦貯留される。
【００１７】
図１に示すように、雨水貯留施設１００は、建物９０に沿うように配置される。建物９０の屋根等に落ちた雨水が、雨水貯留施設１００に集められる。雨水貯留施設１００は、建物９０を介して流入した水、及び直接落ちてきた水を、後述する植栽土壌２１と側壁１０とに囲まれる空間及び植栽土壌２１に貯留する。
【００１８】
雨水貯留施設１００は、水を貯留するための施設であると共に、植栽のための施設でもある。雨水貯留施設１００には、様々な植物が植えられる。このため、雨水貯留施設１００には、水を貯留する機能、及び植物を生育する機能が求められる。
【００１９】
図１から図５に示すように、雨水貯留施設１００は、側壁１０と、植栽土壌２１と、排水層２３と、側溝４０と、支持層２７と、透水シート２９と、第１集水桝５１と、オリフィス５３と、第２集水桝５５と、放流管５７と、を備える。
【００２０】
図１に示すように、側壁１０は、水を貯留する空間を規定するための部材である。側壁１０は、植栽土壌２１の少なくとも表面を囲む。側壁１０は、例えば擁壁であって、コンクリート等で形成される。側壁１０は、第１側壁１１と、第２側壁１３と、第３側壁１５と、第４側壁１７と、を備える。本実施形態においては、建物９０の一部が第４側壁１７を兼ねる。第１側壁１１は、第４側壁１７と対向する。第２側壁１３及び第３側壁１５は、第１側壁１１から第４側壁１７にわたって設けられる。第２側壁１３は、第３側壁１５と対向する。平面視で、第１側壁１１、第２側壁１３、第３側壁１５及び第４側壁１７は、矩形状に配置される。
【００２１】
図２に示すように、植栽土壌２１は、既存の土２５の上側に配置される。側壁１０の一部は、植栽土壌２１と囲む空間に水を貯留できるように、植栽土壌２１の表面よりも上側に配置される。植栽土壌２１及び側壁１０で囲まれる空間は、水を貯留するための空間である。植栽土壌２１は、側壁１０に囲まれる空間に貯留される水の水位が植栽土壌２１の表面より低い場合、大気に面する。植栽土壌２１には、植物が植えられる。植栽土壌２１に植えられる植物は、特に限定されず、地被植物、低木、中木、高木等が含まれる。植栽土壌２１の深さは、植えられる植物によって調節される。
【００２２】
植栽土壌２１において、ｐＦが１．５以上３．８以下の範囲における有効水分量は、１００Ｌ／ｍ３以上である。植栽土壌２１において、ｐＦが１．５以上３．８以下の範囲における有効水分量は、２００Ｌ／ｍ３以上であることがより望ましい。ｐＦは、土壌の水分が毛管力によって引き付けられている強さの程度を表す数値である。有効水分量は、植物によって利用できる水分量である。有効水分量は、土の保水性を示す指標である。
【００２３】
植栽土壌２１の飽和透水係数は、１０−３ｃｍ／ｓ以上である。植栽土壌２１の飽和透水係数は、１０−２ｃｍ／ｓ以上であることがより望ましい。飽和透水係数は、飽和時における土の中の水の流速である。飽和透水係数は、土の透水性を示す指標である。
【００２４】
植栽土壌２１は、例えば黒土及びシルトを含む。植栽土壌２１は、既存の土２５とは異なる材料である。既存の土２５は、雨水貯留施設１００が設置される場所に元々ある土である。既存の土２５は、雨水貯留施設１００が設置される場所に、雨水貯留施設１００が設置される前から存在する土である。既存の土２５としては、例えばマサ土、砂、鹿沼土、関東ロームが挙げられる。
【００２５】
マサ土のｐＦが１．８以上３．８以下の範囲における有効水分量は、５０Ｌ／ｍ３程度である。マサ土の飽和透水係数は、１０−5ｃｍ／ｓ程度である。
【００２６】
砂のｐＦが１．８以上３．８以下の範囲における有効水分量は、１０Ｌ／ｍ３程度である。砂の飽和透水係数は、１０−３ｃｍ／ｓ以上１０−２ｃｍ／ｓ以下程度である。
【００２７】
鹿沼土のｐＦが１．８以上３．８以下の範囲における有効水分量は、１００Ｌ／ｍ３程度である。鹿沼土の飽和透水係数は、１０−４ｃｍ／ｓ程度である。
【００２８】
関東ローム（赤土）のｐＦが１．８以上３．８以下の範囲における有効水分量は、２００Ｌ／ｍ３程度である。関東ローム（赤土）の飽和透水係数は、１０−4ｃｍ／ｓ程度である。
【００２９】
上述したように植栽土壌２１においては、ｐＦが１．５以上３．８以下の範囲における有効水分量が１００Ｌ／ｍ３以上であり、且つ飽和透水係数は、１０−３ｃｍ／ｓ以上である。植栽土壌２１において、ｐＦが１．５以上３．８以下の範囲における有効水分量は、２００Ｌ／ｍ３以上であることがより望ましい。植栽土壌２１の飽和透水係数は、１０−２ｃｍ／ｓ以上であることがより望ましい。植栽土壌２１は、雨水貯留施設１００が設置される場所にある既存の土２５と比較して、高い保水性及び高い透水性の両方を備える。すなわち、植栽土壌２１の保水性は、既存の土２５の保水性よりも高い。植栽土壌２１の透水性は、既存の土２５の透水性よりも高い。また、植栽土壌２１においては、ｐＦが１．５以上３．８以下の範囲における有効水分量が１００Ｌ／ｍ３以上５００Ｌ／ｍ３以下である。植栽土壌２１の飽和透水係数は、１０−３ｃｍ／ｓ以上１ｃｍ／ｓ以下である。望ましくは、植栽土壌２１においては、ｐＦが１．５以上３．８以下の範囲における有効水分量が２００Ｌ／ｍ３以上５００Ｌ／ｍ３以下である。植栽土壌２１の飽和透水係数は、１０−２ｃｍ／ｓ以上１ｃｍ／ｓ以下である。
【００３０】
排水層２３は、植栽土壌２１の下側に配置される。排水層２３は、既存の土２５の上側に配置される。排水層２３は、既存の土２５と植栽土壌２１との間に配置される。既存の土２５の上に排水層２３が積層され、排水層２３の上に植栽土壌２１が積層される。排水層２３の飽和透水係数は、植栽土壌２１の飽和透水係数よりも大きい。すなわち、排水層２３の透水性は、植栽土壌２１の透水性よりも高い。排水層２３は、例えばクリンカアッシュを含む。
【００３１】
側溝４０は、水を排水路７０に導くための部材である。排水路７０は、下水道又は河川等である。図１及び図２に示すように、側溝４０は、第４側壁１７に沿って配置される。第４側壁１７から側溝４０までの距離は、第１側壁１１から側溝４０までの距離よりも小さい。側溝４０は、植栽土壌２１に配置される。側溝４０は、上部が開口するように植栽土壌２１の中に埋められる。例えば本実施形態においては、側溝４０の上端部の位置は、植栽土壌２１の上端部の位置と等しい。図２に示すように、側溝４０は、第１側面部４１と、第２側面部４３と、底面部４５と、貫通孔４７と、を備える。
【００３２】
図２に示すように、第１側面部４１、第２側面部４３及び底面部４５は、板状である。第１側面部４１及び第２側面部４３の厚さ方向は、水平方向に沿う。第１側面部４１は、第２側面部４３と対向するように配置される。第４側壁１７から第１側面部４１までの距離は、第４側壁１７から第２側面部４３までの距離よりも大きい。貫通孔４７は、第１側面部４１に設けられる。貫通孔４７は、水を通過させる。底面部４５の厚さ方向は、鉛直方向に沿う。底面部４５は、第１側面部４１の下端部と第２側面部４３の下端部とを接続する。底面部４５の上面は、鉛直方向に対して傾斜している。これにより、水が一方向に導かれる。
【００３３】
図２に示すように、支持層２７は、側溝４０を支持する。支持層２７は、第１側面部４１、第２側面部４３及び底面部４５を覆うように配置される。支持層２７は、貫通孔４７に面する。支持層２７の下端部は、排水層２３に接する。支持層２７は、貫通孔４７から排水層２３にわたって配置される。支持層２７の飽和透水係数は、植栽土壌２１の飽和透水係数よりも大きい。すなわち、支持層２７の透水性は、植栽土壌２１の透水性よりも高い。支持層２７は、例えば単粒度砕石を含む。支持層２７は、側溝４０の沈下を抑制できる。
【００３４】
透水シート２９は、水を通すシート状の部材である。透水シート２９は、支持層２７の側面及び上面を覆うように配置される。透水シート２９は、支持層２７と植栽土壌２１との間に配置される。透水シート２９は、支持層２７と排水層２３との間に配置される。透水シート２９は、水を通すと共に植栽土壌２１及び排水層２３の材料が支持層２７に侵入することを抑制する。
【００３５】
図３に示すように、通常の降雨時においては、雨水は側溝４０へ流入する。側溝４０の水は、第１集水桝５１、オリフィス５３、第２集水桝５５、及び放流管５７を通って排水路７０へ排出される。図３から図８の矢印は、水の流れを示す。
【００３６】
豪雨時には、市町村によって敷地外へ排出できる水の流量には制限がある。このため、通常の降雨時のように排水しきれない水は、図４に示すように雨水貯留施設１００に一旦貯留される。
【００３７】
図５に示すように、第１集水桝５１は、側溝４０に接続される。第１集水桝５１には、側溝４０から水が流入する。オリフィス５３は、第１集水桝５１と第２集水桝５５とを接続する。オリフィス５３は、第１集水桝５１から第２集水桝５５に向かう水の流量を制限する。放流管５７は、第２集水桝５５と排水路７０とを接続する。放流管５７は、第２集水桝５５に集められる水を、排水路７０へ導く。
【００３８】
豪雨時において、オリフィス５３によって排水量が制限される。側溝４０、第１集水桝５１及び第２集水桝５５から溢れた水が、図４及び図５に示すように植栽土壌２１の上に貯留される。貯留された水の一部は、植栽土壌２１、排水層２３、既存の土２５の順に浸透する。貯留された水の一部は、側溝４０の貫通孔４７を介して支持層２７に排出される。貫通孔４７を通過した水の一部は、透水シート２９を通過して植栽土壌２１に浸透した後、排水層２３に排出される。貫通孔４７を通過した水の一部は、支持層２７の下側に移動し、植栽土壌２１を介さずに排水層２３に排出される。
【００３９】
植栽土壌２１の飽和透水係数が１０−３ｃｍ／ｓ以上であることによって、降雨後において植栽土壌２１の上及び植栽土壌２１の内部に貯留された水が排水層２３へ速やかに移動する。このため、植栽土壌２１に植えられた植物の根腐れが低減される。また、植栽土壌２１においてｐＦが１．５以上３．８以下の範囲における有効水分量が１００Ｌ／ｍ３以上であることによって、水が排水層２３へある程度排出された後には、植栽土壌２１に適度な水分が保たれる。このため、植栽土壌２１に植えられた植物の枯れが抑制される。
【００４０】
なお、側壁１０は、植栽土壌２１とで囲まれる空間に水を貯留することができる形状であればよい。側壁１０は、上述したように建物９０と一体となっていなくてもよく、建物９０とは独立して設けられてもよい。また、側壁１０においては、第１側壁１１、第２側壁１３、第３側壁１５及び第４側壁１７が一体となっていなくてもよい。側壁１０は、複数の側壁を結合させたものでもよい。すなわち、第１側壁１１、第２側壁１３、第３側壁１５及び第４側壁１７が、互いに別の部材であってもよい。第１側壁１１、第２側壁１３及び第３側壁１５は、建物の一部であってもよい。側壁１０は、図２に示すように排水層２３の下まで設けられなくてもよい。側壁１０は、少なくとも植栽土壌２１よりも上に突出していればよい。側壁１０の高さは、植栽土壌２１及び側壁１０で囲まれる空間に豪雨時の雨水を貯留することができる高さであればよい。側壁１０のうち植栽土壌２１の表面よりも下側の部分は、なくてもよい。また、側壁１０は、必ずしもコンクリートで形成された擁壁でなくてもよい。例えば、側壁１０は、土等で形成されていてもよい。第１側壁１１、第２側壁１３、第３側壁１５及び第４側壁１７を鉛直面で切った断面形状は、矩形でなくてもよく、特に限定されない。
【００４１】
植栽土壌２１、排水層２３、支持層２７の材料は、必ずしも上述した材料でなくてもよい。植栽土壌２１、排水層２３、支持層２７の材料は、特に限定されない。植栽土壌２１、排水層２３、支持層２７は、それぞれ複数の材料で構成されていてもよい。
【００４２】
雨水貯留施設１００は、排水層２３を備えていなくてもよい。既存の土２５のうえに植栽土壌２１が積層されてもよい。すなわち、植栽土壌２１が既存の土２５に接していてもよい。また、支持層２７は、なくてもよい。
【００４３】
以上で説明したように、雨水貯留施設１００は、既存の土２５の上側に配置される植栽土壌２１と、植栽土壌２１を囲む側壁１０と、を備える。側壁１０の少なくとも一部は、植栽土壌２１と囲む空間に水を貯留できるように植栽土壌２１の表面よりも上側に配置される。植栽土壌２１の保水性は、既存の土２５の保水性よりも高い。植栽土壌２１の透水性は、既存の土２５の透水性よりも高い。
【００４４】
これにより、降雨時においては、側壁１０に囲まれる空間に水が貯留される。降雨後においては、植栽土壌２１の上及び植栽土壌２１の内部に貯留された水が速やかに排出される。さらに、植栽土壌２１の水がある程度排出された後には、植栽土壌２１に適度な水分が保たれる。したがって、雨水貯留施設１００は、水を貯留でき且つ植物に与える影響を低減できる。
【００４５】
水が貯留される場所では、背丈の低い地被類、及び低木は水没する可能性がある。また、豪雨時においては水が植栽土壌に滞留するため、中木、及び高木であっても根腐れする可能性がある。土壌を厚くできない場合には、中木、及び高木の植栽が難しい。このため、自由な植栽計画が困難であった。
【００４６】
これに対して、雨水貯留施設１００によれば、植栽土壌２１の上及び植栽土壌２１の内部に貯留された水が速やかに排出される。このため、地被類、及び低木が水没する可能性、及び中木、及び高木が根腐れする可能性が低減される。また、植栽土壌２１を厚くすることも可能である。したがって、雨水貯留施設１００によれば、適用可能な植物の種類を増やすことができ、自由な植栽計画が可能となる。
【００４７】
植栽土壌２１において、ｐＦが１．５以上３．８以下の範囲における有効水分量は、１００Ｌ／ｍ３以上である。植栽土壌２１の飽和透水係数は、１０−３ｃｍ／ｓ以上である。
【００４８】
これにより、雨水貯留施設１００は、植物に与える影響をより低減できる。また、雨水貯留施設１００は、より自由な植栽計画を可能にする。
【００４９】
雨水貯留施設１００は、植栽土壌２１の下側に配置され且つ植栽土壌２１の飽和透水係数よりも大きい飽和透水係数を有する排水層２３を備える。
【００５０】
これにより、降雨後において、植栽土壌２１の上及び植栽土壌２１の内部に貯留された水がより速やかに排出される。さらに、毛管力による地下水の植栽土壌２１への上昇が抑制される。例えば、雨水貯留施設１００は、海に近い場所における海水の毛管上昇を抑制することが可能である。雨水貯留施設１００は、海水による植栽枯れを防ぐことができる。したがって、雨水貯留施設１００は、植物に与える影響をより低減できる。
【００５１】
雨水貯留施設１００は、植栽土壌２１に配置され且つ水を排水路７０に導く側溝４０を備える。
【００５２】
これにより、植栽土壌２１の上に貯留された水の一部は、側溝４０を介して排水路７０に排出される。したがって、雨水貯留施設１００は、植栽土壌２１の上に貯留された水の排出を促進できる。
【００５３】
雨水貯留施設１００において、側溝４０は、植栽土壌２１に水を通過させる貫通孔４７を備える。
【００５４】
これにより、側溝４０を通る水が貫通孔４７を介して植栽土壌２１に供給される。したがって、雨水貯留施設１００は、植栽土壌２１の乾燥を抑制できる。雨水貯留施設１００は、植栽土壌２１への散水の手間を低減できる。
【００５５】
雨水貯留施設１００において、貫通孔は、側溝４０の側面部（第１側面部４１）に設けられる。
【００５６】
これにより、貫通孔が側溝４０の底面部４５に設けられる場合と比較して、側溝４０を通る水が植栽土壌２１に供給されやすくなる。雨水貯留施設１００は、植栽土壌２１への散水の手間をより低減できる。
【００５７】
雨水貯留施設１００は、植栽土壌２１の下側に配置され且つ植栽土壌２１の飽和透水係数よりも大きい飽和透水係数を有する排水層２３と、植栽土壌２１に配置され且つ水を排水路に導く側溝４０と、側溝４０を支持し且つ植栽土壌２１の飽和透水係数よりも大きい飽和透水係数を有する支持層２７と、を備える。側溝４０は、水を通過させる貫通孔４７を備える。支持層２７は、貫通孔４７から排水層２３にわたって配置される。
【００５８】
これにより、貫通孔４７を通過した水の少なくとも一部は、植栽土壌２１を介さずに排水層２３に排出される。したがって、雨水貯留施設１００は、水の排出を促進できる。
【００５９】
（第１変形例）
図６は、豪雨時における第１変形例の雨水貯留施設の断面図である。なお、上述した実施形態で説明したものと同じ構成要素には同一の符号を付して重複する説明は省略する。
【００６０】
図６に示すように、第１変形例の雨水貯留施設１００Ａは、上述した側壁１０とは異なる側壁１０Ａを備える。側壁１０Ａは、第１側壁１１Ａを備える。第１側壁１１Ａの下端部は、排水層２３よりも上側に配置される。植栽土壌２１は、側壁１０Ａの外側にある既存の土２５に接する。このため、植栽土壌２１の水は、排水層２３だけでなく、既存の土２５にも直接浸透する。したがって、雨水貯留施設１００Ａは、水の排出を促進できる。側壁１０の一部が、植栽土壌２１と囲む空間に水を貯留できるように植栽土壌２１の表面よりも上側に配置されていれば、側壁１０のうち植栽土壌２１の表面よりも下側の部分は、なくてもよい。なお、図１に示す第２側壁１３、第３側壁１５及び第４側壁１７において、第１側壁１１Ａと同様に、下端部が排水層２３よりも上側に配置されてもよい。
【００６１】
（第２変形例）
図７は、豪雨時における第２変形例の雨水貯留施設の断面図である。なお、上述した実施形態で説明したものと同じ構成要素には同一の符号を付して重複する説明は省略する。
【００６２】
図７に示すように、第２変形例の雨水貯留施設１００Ｂは、上述した支持層２７を備えない。雨水貯留施設１００Ｂは、側溝４０を支持する支持体２８と、透水シート２９Ｂと、を備える。
【００６３】
支持体２８は、底面部４５の下側に配置される。支持体２８は、第１側面部４１及び第２側面部４３を覆わない。支持体２８の材料は、特に限定されない。支持体２８は、例えばコンクリート等で形成されてもよいし、支持層２７と同じ材料であってもよい。
【００６４】
透水シート２９Ｂは、貫通孔４７を覆うように配置される。透水シート２９Ｂは、貫通孔４７と植栽土壌２１との間に配置される。透水シート２９Ｂは、植栽土壌２１の材料が側溝４０に侵入することを抑制する。
【００６５】
これにより、側溝４０を通る水が貫通孔４７を介して植栽土壌２１に供給される。貫通孔４７を介して植栽土壌２１に供給される水は、上述したように支持層２７がある場合と比較して多くなる。したがって、雨水貯留施設１００は、植栽土壌２１の乾燥をより抑制できる。雨水貯留施設１００は、植栽土壌２１への散水の手間をより低減できる。
【００６６】
（第３変形例）
図８は、豪雨時における第３変形例の雨水貯留施設の断面図である。なお、上述した実施形態で説明したものと同じ構成要素には同一の符号を付して重複する説明は省略する。
【００６７】
図８に示すように、第３変形例の雨水貯留施設１００Ｃは、側壁１０Ｃを備える。側壁１０Ｃは、第１側壁１１Ｃを備える。第１側壁１１Ｃを鉛直面で切った断面形状は、略Ｌ字状である。第１側壁１１Ｃの上に排水層２３が積層されている。なお、図１に示す第２側壁１３、第３側壁１５及び第４側壁１７は、第１側壁１１Ｃと同様に略Ｌ字状の断面形状を備えていてもよい。
【符号の説明】
【００６８】
１０、１０Ａ、１０Ｃ  側壁
１１、１１Ｃ  第１側壁
１３  第２側壁
１５  第３側壁
１７  第４側壁
２１  植栽土壌
２３  排水層
２５  既存の土
２７  支持層
２８  支持体
２９、２９Ｂ  透水シート
４０  側溝
４１  第１側面部
４３  第２側面部
４５  底面部
４７  貫通孔
５１  第１集水桝
５３  オリフィス
５５  第２集水桝
５７  放流管
７０  排水路
９０  建物
１００、１００Ａ、１００Ｂ、１００Ｃ  雨水貯留施設
【図１】
2020020213.tif 000003
【図２】
2020020213.tif 000004
【図３】
2020020213.tif 000005
【図４】
2020020213.tif 000006
【図５】
2020020213.tif 000007
【図６】
2020020213.tif 000008
【図７】
2020020213.tif 000009
【図８】
2020020213.tif 000010